(57)【要約】【課題】  ポータブルブイオーアイピー無線連結器の提供。【解決手段】  コンピュータに接続するインタフェースとされるＵＳＢインタフェース  、サウンドを制御し並びに無線モジュールに伝送するメディアチップ、ＲＯＭ及びフラッシュメモリを制御するＵＳＢコントローラ、サウンドをＲＦ信号に変換後に伝送する無線モジュール、変動可データを保存するフラッシュメモリ、変動不可データを保存するＲＯＭを包含し、無線連結器を直接コンピュータのＵＳＢポートに挿入すると、ＲＯＭ内のＶｏＩＰソフトが自動実行され、関係パラメータ設定が入力され、且つ無線モジュールにより無線ＲＦ信号が発射されて音声信号が無線装置に伝送され、こうして使用者が音声会話を行え、これにより煩瑣なプロセス及び線による制限を免除できる。【選択図】        図１
0003114127.tif 000002
【実用新案登録請求の範囲】
【請求項１】
コンピュータに接続するインタフェースとされるＵＳＢインタフェース、
ＵＳＢインタフェースと無線モジュール間に接続されてサウンドを制御し並びに無線モジュールに伝送するメディアチップ、
ＵＳＢインタフェースに接続されて、ＲＯＭ及びフラッシュメモリを制御するＵＳＢコントローラ、
メディアチップのサウンドカードをＲＦ信号に変換後に伝送する無線モジュール、
上述のメディアチップ及びＵＳＢコントローラに接続されて変動可データを保存するフラッシュメモリ、
上述のメディアチップ及びＵＳＢコントローラに接続されて変動不可データを保存するＲＯＭ、
を包含したことを特徴とする、ポータブルブイオーアイピー無線連結器。
【請求項２】
請求項１記載のポータブルブイオーアイピー無線連結器において、ＲＯＭに使用前にＶｏＩＰソフトが保存されることを特徴とする、ポータブルブイオーアイピー無線連結器。
【請求項３】
請求項１記載のポータブルブイオーアイピー無線連結器において、フラッシュメモリに使用前にＶｏＩＰソフトの基本データが保存登録されることを特徴とする、ポータブルブイオーアイピー無線連結器。
【請求項４】
請求項１記載のポータブルブイオーアイピー無線連結器において、無線モジュールの無線プロコトルがブルートゥースであることを特徴とする、ポータブルブイオーアイピー無線連結器。
【請求項５】
請求項１記載のポータブルブイオーアイピー無線連結器において、無線モジュールの無線プロコトルがワイヤレスランであることを特徴とする、ポータブルブイオーアイピー無線連結器。
【請求項６】
請求項１記載のポータブルブイオーアイピー無線連結器において、無線モジュールの無線プロコトルがＲＦであることを特徴とする、ポータブルブイオーアイピー無線連結器。
【考案の詳細な説明】
【技術分野】
【０００１】
本考案は一種のポータブルブイオーアイピー（ＶｏＩＰ）無線連結器に係り、特にＶｏＩＰソフト及びその関係パラメータが連結器中にビルトインされ、連結器がコンピュータに挿入された時に速やかにＶｏＩＰ機能を起動でき、これにより使用者が音声会話を行えるようにし、及び、ＶｏＩＰアプリケーションソフトと連絡人情報を保存できる、ポータブルブイオーアイピー無線連結器に関する。
【背景技術】
【０００２】
現代の家庭内には一台以上のコンピュータがあり、さらにインターネットの普及もあり、インターネットプロバイダ（ＩＳＰ）は接続費用の値下げ競争を続けており、これによりブロードバンドオンラインの人数及び比率は安定して成長し、インターネットを利用した通信（例えば電子メール、遠距離ビデオ会議、音声会話、リアルタイム文字伝送等）は伝統的な手紙或いは電話に代わる現代人の遠距離通信の媒体となっている。
【０００３】
そのうちネットワーク電話（Ｖｏｉｃｅ  ｏｖｅｒ  ＩＰ；ＶｏＩＰ）は現在注目を集めているネットワーク通信方式であり、市場にはまたネットワーク音声通信用のソフトウエア或いはプログラム（Ｓｋｙｐｅ、ＭＳＮ等）が出現し、それぞれ両端末のコンピュータにＶｏＩＰソフトをインストールし、利用者名、ＩＤ或いは番号を媒体とし、更にネットワークを通して簡単に双方向音声通話が行える。上述のＶｏＩＰは通話費不要で高い通話品質の長所を有し、僅かに通話装置（スピーカ、マイクロホン）を必要とし関係ソフトをインストールすれば通話でき、個人、法人の注目を集めており、徐々に多くの関係製品が出現している。
【０００４】
ただし、上述のＶｏＩＰソフトは、コンピュータにインストールしてから、ＶｏＩＰソフト起動後に、氏名、ＩＤ或いは番号を入力しログインしてからでなければ通話できず、通話時には通話装置（スピーカ、マイクロホン）を通さなければ会話が行えない。これらから分かるように、周知のＶｏＩＰはインストール、起動、登録或いは設定のステップを必要とし、それが完了して始めてネットワーク電話の機能を享受できる。
【０００５】
更に、一般にＶｏＩＰソフトは特定のコンピュータにインストールする必要があり、ＶｏＩＰソフトをインストールするコンピュータのほとんどは、家或いは会社の中にあり、外出時に使用できるコンピュータがない時にはＶｏＩＰ双方向通話は行えず、外出時或いは出国時にはコンピュータがあっても新たにＶｏＩＰソフトをインストール、設定しなければならず、極めて不便であり、飛行場或いはネットカフェの公用コンピュータは自分でソフトのインストール、設定が行えず、また、ほとんどの公用コンピュータはスピーカを具え、音声出力ができるものの、マイクロホンは取り付けられておらず、ゆえにＶｏＩＰ機能を使用できない。
【０００６】
また、周知のＶｏＩＰに使用される通話装置（スピーカ、マイクロホン）は、コストを考慮して有線の設備とされ、使用上、ケーブルの制限があり、マイクロホンを使用する時は、近距離で集音しなければならず、並びに携帯性を具備せず、実際の応用上、明らかな欠点を有しており、改善の必要がある。
【考案の開示】
【考案が解決しようとする課題】
【０００７】
本考案の主要な目的はポータブルブイオーアイピー無線連結器を提供することにあり、それは直接コンピュータに差し込むことでＶｏＩＰソフトを実行して音声会話が行え、ソフト実行のプロセス及び時間を節約できるものとする。
【０００８】
本考案の次の目的は、一種のポータブルブイオーアイピー無線連結器を提供することにあり、それは無線モジュールにより無線ＲＦ信号を無線装置（無線イヤホン、マイクロホン）に発送でき、音声会話時に線による制限を受けないものとする。
【０００９】
本考案の別の目的は、一種のポータブルブイオーアイピー無線連結器を提供することにあり、それは、ＲＯＭ及びフラッシュメモリによりＶｏＩＰソフト及び関係パラメータ（ＶｏＩＰ  ＩＤ、使用者名）を保存し、ＶｏＩＰソフト実行時に直接登録でき、音声会話に更に便利であるものとする。
【００１０】
上述の目的を達成するため、本考案は、
コンピュータに接続するインタフェースとされるＵＳＢインタフェース、
ＵＳＢインタフェースと無線モジュール間に接続されてサウンドを制御し並びに無線モジュールに伝送するメディアチップ、
ＵＳＢインタフェースに接続されて、ＲＯＭ及びフラッシュメモリを制御するＵＳＢコントローラ、
メディアチップのサウンドカードをＲＦ信号に変換後に伝送する無線モジュール、
上述のメディアチップ及びＵＳＢコントローラに接続されて変動可データ（ＶｏＩＰ  ＩＤ、使用者名）を保存するフラッシュメモリ、
上述のメディアチップ及びＵＳＢコントローラに接続されて変動不可データ（ＶｏＩＰソフト）を保存するＲＯＭ、
を包含し、使用時に、該ＵＳＢインタフェースをコンピュータのＵＳＢポートに挿入すると、コンピュータによりメディアチップとＵＳＢコントローラが認識されて、ＲＯＭ内のＶｏＩＰソフトが自動実行され、及び関係パラメータ（ＶｏＩＰ  ＩＤ、使用者名）設定が行われ、並びに無線モジュールにより無線ＲＦ信号が無線装置（無線イヤホン、マイクロホン）に発送され、これにより使用者が簡単にＶｏＩＰを通して音声会話を行なえ、煩雑なソフトの起動プロセス及び線の牽引や絡まりを免除し、無線ネットワーク電話の便利性を高める。
【課題を解決するための手段】
【００１１】
請求項１の考案は、コンピュータに接続するインタフェースとされるＵＳＢインタフェース、
ＵＳＢインタフェースと無線モジュール間に接続されてサウンドを制御し並びに無線モジュールに伝送するメディアチップ、
ＵＳＢインタフェースに接続されて、ＲＯＭ及びフラッシュメモリを制御するＵＳＢコントローラ、
メディアチップのサウンドカードをＲＦ信号に変換後に伝送する無線モジュール、
上述のメディアチップ及びＵＳＢコントローラに接続されて変動可データを保存するフラッシュメモリ、
上述のメディアチップ及びＵＳＢコントローラに接続されて変動不可データを保存するＲＯＭ、
を包含したことを特徴とする、ポータブルブイオーアイピー無線連結器としている。
請求項２の考案は、請求項１記載のポータブルブイオーアイピー無線連結器において、ＲＯＭに使用前にＶｏＩＰソフトが保存されることを特徴とする、ポータブルブイオーアイピー無線連結器としている。
請求項３の考案は、請求項１記載のポータブルブイオーアイピー無線連結器において、フラッシュメモリに使用前にＶｏＩＰソフトの基本データが保存登録されることを特徴とする、ポータブルブイオーアイピー無線連結器としている。
請求項４の考案は、請求項１記載のポータブルブイオーアイピー無線連結器において、無線モジュールの無線プロコトルがブルートゥースであることを特徴とする、ポータブルブイオーアイピー無線連結器としている。
請求項５の考案は、請求項１記載のポータブルブイオーアイピー無線連結器において、無線モジュールの無線プロコトルがワイヤレスランであることを特徴とする、ポータブルブイオーアイピー無線連結器としている。
請求項６の考案は、請求項１記載のポータブルブイオーアイピー無線連結器において、無線モジュールの無線プロコトルがＲＦであることを特徴とする、ポータブルブイオーアイピー無線連結器としている。
【考案の効果】
【００１２】
本考案は一種のポータブルブイオーアイピー無線連結器を提供し、それは、コンピュータに接続するインタフェースとされるＵＳＢインタフェース、サウンドを制御し並びに無線モジュールに伝送するメディアチップ、ＲＯＭ及びフラッシュメモリを制御するＵＳＢコントローラ、サウンドをＲＦ信号に変換後に伝送する無線モジュール、変動可データを保存するフラッシュメモリ、変動不可データを保存するＲＯＭを包含し、無線連結器を直接コンピュータのＵＳＢポートに挿入すると、ＲＯＭ内のＶｏＩＰソフトが自動実行され、関係パラメータ設定が入力され、且つ無線モジュールにより無線ＲＦ信号が発射されて音声信号が無線装置に伝送され、こうして使用者が音声会話を行え、これにより煩瑣なプロセス及び線による制限を免除できる。
【考案を実施するための最良の形態】
【００１３】
図１に示されるように、本考案のポータブルブイオーアイピー無線連結器は、
コンピュータ２に接続するインタフェースとされるＵＳＢインタフェース１１、
ＵＳＢインタフェースと無線モジュール間に接続されてサウンドを制御し並びに無線モジュールに伝送するメディアチップ１２、
ＵＳＢインタフェースに接続されて、ＲＯＭ及びフラッシュメモリを制御するＵＳＢコントローラ１３、
メディアチップのサウンドカードをＲＦ信号に変換後に伝送する無線モジュール１４、  上述のメディアチップ及びＵＳＢコントローラに接続されて変動可データ（ＶｏＩＰ  ＩＤ、使用者名）を保存するフラッシュメモリ１５、
上述のメディアチップ及びＵＳＢコントローラに接続されて変動不可データ（ＶｏＩＰソフト）を保存するＲＯＭ１６、
を包含する。
【００１４】
そのうち、無線モジュール１４の無線プロトコルはブルートゥース、ワイヤレスラン、ＲＦ等とされうる。
【００１５】
上述のＲＯＭ１６に使用前に先にＶｏＩＰソフト（Ｓｋｙｐｅ、ＭＳＮ等）が保存される。
【００１６】
上述のフラッシュメモリ１５に使用前に先にＶｏＩＰソフトの基本データ（例えばＶｏＩＰ  ＩＤ、使用者名或いは基本設定パラメータ）が保存登録される。
【００１７】
本考案の好ましい実施例では、該無線モジュール１４の無線プロコトルはブルートゥースとされる。
【００１８】
上述したように、使用時には、該ＵＳＢインタフェース１１をコンピュータ２のＵＳＢポート（図示せず）に挿入すると、コンピュータ２によりメディアチップ１２とＵＳＢコントローラ１３が認識されて、ＲＯＭ１６内のＶｏＩＰソフトが自動実行され、及びコンピュータ２の関係パラメータ（ＶｏＩＰ  ＩＤ、使用者名）設定が行われ、並びに無線モジュール１４により無線ＲＦ信号が無線装置（無線イヤホン、マイクロホン）に発送され、これにより使用者が簡単にＶｏＩＰを通して音声会話を行なえる。
【００１９】
図２、３及び図４に示されるように、この装置のＵＳＢインタフェース１１がコンピュータ２に挿入された後、コンピュータ２はメディアチップ１２とＵＳＢコントローラ１３を認識し、コンピュータ２のオペレーションシステム（例えばＷｉｎｄｏｗｓ（登録商標））が標準のメディアドライバ、ストレージドライバとＣＤＲＯＭドライバ（Ｈｉｄｄｅｎ）を起動し、コンピュータ２がＲＯＭ１６内のＶｏＩＰソフトを自動実行してＶｏＩＰプログラムを起動し、並びに同時にフラッシュメモリ１５内のデータ（例えばＶｏＩＰ  ＩＤ、使用者名或いは基本設定パラメータ）をキャプチャし、ＶｏＩＰプログラムに登録し、及び関係コンピュータパラメータとデバイスを設定し、使用者がＶｏＩＰを使用して受話する時、ＵＳＢインタフェース１１を通してデジタルパケットがメディアチップ１２に伝送され、メディアチップ１２により音声に変換され、無線モジュール１４により音声が受話装置３（無線スピーカ、無線イヤホン）に伝送され、使用者が受話するのに供される。使用者がＶｏＩＰを使用して送話する時、送話装置４（無線マイクロホン）を通して音声が無線モジュール１４に伝送され、メディアチップ１２によりデジタルパケットに変換されてＵＳＢインタフェース１１を通してコンピュータ２に伝送され、更にインターネットにより別端の使用者に伝送される。
【００２０】
図５に示されるように、上述の無線連結器１の実行ステップは以下のとおりである。
（ａ）該装置をコンピュータに挿入する：無線連結器１をＵＳＢインタフェース１１を利用してコンピュータ２に挿入すると、コンピュータ２がメディアチップ１２とＵＳＢコントローラ１３を認識し、コンピュータ２のオペレーションシステムが標準のメディアドライバ、ストレージドライバ、及びＣＤＲＯＭドライバを起動する。
（ｂ）プログラム自動実行及びデータ登録：コンピュータ２がＲＯＭ１６内のＶｏＩＰソフトを自動実行してＶｏＩＰプログラムを起動し、並びに同時にフラッシュメモリ１５内のデータ（例えばＶｏＩＰ  ＩＤ、使用者名或いは基本設定パラメータ）をキャプチャし、ＶｏＩＰプログラムに登録し及び関係コンピュータパラメータとデバイスを設定し、使用者が音声会話を行うのに供する。もし該装置が続けてコンピュータ２に挿入されるなら、（ｅ）のステップを実行する。
（ｃ）該装置がコンピュータより抜き取られる：装置がコンピュータ２より抜き取られる時、（ｄ）のステップを実行する。
（ｅ）重複してプログラムを実行する：重複して該ＶｏＩＰソフトを実行する。
【００２１】
本考案は以下のような優れた点を有している。
１．使用者がソフトウエアをインストールしなくても即刻ＶｏＩＰを使用できる。
２．ＶｏＩＰの使用者データ（例えばＶｏＩＰ  ＩＤ、使用者名或いは基本設定パラメータ）をフラッシュメモリ１５内に保存し、ＶｏＩＰプログラム起動時に別に登録する必要がない。
３．受話装置３、送話装置４（無線スピーカ、無線イヤホン、無線マイクロホン）を利用して音声会話を行え、線の牽引や絡みを免除できる。
４．プラグアンドプレイと自動実行（Ａｕｔｏ  Ｒｕｎ）機能を具え、便利で時間がかからず且つコンピュータの安定性に影響を与えない。
【００２２】
本考案のポータブルブイオーアイピー無線連結器１は、コンピュータ２を起動しなければＶｏＩＰ（ネットワーク電話）機能を使用できない問題を解決し、使用者が出国或いは外出時にただ無線連結器１を携帯するだけで、飛行場、ネットカフェ或いは他人の会社でも無線連結器１をコンピュータ２のＵＳＢポートに差し込めば、ＶｏＩＰを使用でき、新たにソフトウエア或いは駆動プログラムをインストールする必要がなく、また新たに登録設定する必要もなく、ただ外出時に無線連結器１と受話装置３及び送話装置４（無線スピーカ、無線イヤホン、無線マイクロホン）を携帯すれば、どこででもＶｏＩＰを使用して通信でき、ポータブルの便利性を実現する。即ちコンピュータ２にスピーカとマイクロホンがなくともＶｏＩＰ電話を使用でき、煩瑣なソフトウエア起動プロセスを省略できまた線の牽引や絡みを免除でき、更に無線ネットワーク電話の便利性を向上できる。
【図面の簡単な説明】
【００２３】
【図１】本考案の表示図である。
【図２】本考案のフローチャートである。
【図３】本考案の断面図である。
【図４】本考案の受話実施表示図である。
【図５】本考案の送話実施表示図である。
【符号の説明】
【００２４】
１  無線連結器
１１  ＵＳＢインタフェース
１２  メディアチップ
１３  ＵＳＢコントローラ
１４  無線モジュール
１５  フラッシュメモリ
１６  ＲＯＭ
２  コンピュータ
３  受話装置
４  送話装置
【図１】
0003114127.tif 000003
【図２】
0003114127.tif 000004
【図３】
0003114127.tif 000005
【図４】
0003114127.tif 000006
【図５】
0003114127.tif 000007